(57)【要約】【課題】本発明は、床面に対して水平回動可能な可動式手すりを所定の位置に保持しても、ぐらつきが少なく、略Ｕ字形状の握り部材であっても曲げ加工後の切断加工を必要とせず製造が容易な構造を有する可動手すりを提供することを目的とする。【解決手段】壁面に固定するブラケットから突設される略Ｕ字形状の握り部材と、前記ブラケットに設置され前記握り部材を床面に対して水平回動可能にする固定軸と、床面に対して水平回動可能な前記握り部材を所定の位置に保持する係止部と、前記係止部を作動する操作部材を有する可動式手すりにおいて、前記係止部が前記ブラケットに設けられた複数の略テーパ形状の嵌合溝と前記嵌合溝と３以上の略テーパ形状の凸部で嵌合するストッパー部材からなることとし、前記略Ｕ字形状の握り部材の下方端面を前記回転軸の保持部材に挿入する構成とした。【選択図】  図１
2004353363.tif 000002
【特許請求の範囲】
【請求項１】
壁面に固定するブラケットから突設される略Ｕ字形状の握り部材と、前記ブラケットに設置され前記握り部材を床面に対して水平回動可能にする固定軸と、床面に対して水平回動可能な前記握り部材を所定の位置に保持する係止部と、前記係止部を作動する操作部材を有する可動式手すりにおいて、
前記係止部が前記ブラケットに設けられた複数の略テーパ形状の嵌合溝と前記嵌合溝と３以上の略テーパ形状の凸部で嵌合するストッパー部材からなることを特徴とする可動式手すり。
【請求項２】
前記床面に対して水平回動可能な可動式手すりにおいて、略Ｕ字形状の前記握り部材の下方端面を前記回転軸の保持部材に挿入したことを特徴とする可動式手すり。
【発明の詳細な説明】
【０００１】
【発明の属する技術分野】
本発明は、車イス等を使用する身体障害者が、トイレ等を利用する場合に用いる握り部材を水平方向に回動可能な可動式手すりに関する。
【０００２】
【従来の技術】
身体障害者や高齢者の使用に配慮している公共施設や民間施設のトイレブースでは、身体障害者の障害の度合いや高齢者の体力低下の度合いに個人差がある為、また、介助者が身体障害者を介助することがある為、大多数の使用者が使用できるようにトイレブース内に可動式手すりを設けることが一般的に行われている。
【０００３】
例えば、図１０に示すトイレブースにおいて、車椅子使用者の場合、衛生陶器の左右どちらかの一方または両側に可動式手すりを設置することにより、衛生陶器と車椅子間の移乗時に可動式手すりを移乗の障害とならない位置まで使用者又は介助者が可動させ、衛生陶器と車椅子間の移乗を行いやすくすることができる。
【０００４】
また、衛生陶器へ移乗後には、可動式手すりを衛生陶器に近付け、排泄時の使用者の座位を安定させ、使用者がふらつくなどの場合につかまり、倒れるなどの危険を防止することができる。
【０００５】
従来の握り部材を水平に回動させることのできる可動式手すりとしては、図１１に示すような握り部材の水平回動を規制するストッパー構造を有し、握り部材の中央部に操作レバーを配置し、操作レバーを操作することによりストッパーを解除し、水平回動を可能とする可動式手すりがある。
【０００６】
その構成は、端部を回転軸に連結している握り部材と、回転軸を支持するブラケットよりなり、ブラケットの下方水平翼片には複数の嵌合溝を設け、回転軸の内部に嵌合溝に勘合する１つのストッパーが配置されている。ストッパーは握り部材内の１本の連結部材を介して、握り部材の中央部に配置されている操作レバーに連結されている。操作レバーには、握り部材の中央部側面に設けられている連結部材と接続する為の引き出し用長孔を完全に覆う筒状カバーが設けられ、操作レバーの可動範囲にて引き出し用長孔が外部に露出しない構造を形成している（たとえば、特許文献１を参照のこと。）。
【０００７】
【特許文献１】
特開２０００−４１９０２号公報
【０００８】
【発明が解決しようとする課題】
しかしながら、従来の握り部材を水平に回動させることのできる可動式手すりでは、握り部材を所定の位置に保持する為に複数の嵌合溝と嵌合溝に嵌合する１つのストッパーを設けているが、従来の構造では嵌合溝とストッパーの間には嵌合をスムーズに行う程度の隙間を設ける必要がある。
この隙間を大きく設けるほど可動式手すりのぐらつきも大きくなる為、使用者が不安を感じてしまうことがあるという課題を有していた。
【０００９】
また、従来の握り部材を水平に回動させることのできる可動式手すりでは、Ｕ字形状の握り部材の両端面を回転軸と接続しているが、Ｕ字形状の握り部材は、直管の握り部材を曲げ加工装置を使用して曲げ加工を行う為、両端面の寸法を所定寸法に狂いなく合せることは製造上難しく、曲げ加工後に端面の寸法を合わせる為の切断加工を行う必要がある。切断加工を行わない場合、両端面の寸法が所定寸法より外れ、握り部材が床面と平行にならず、意匠的に劣るという課題を有していた。
【００１０】
そこで、本発明は上記の問題点を解決するためなされたもので、水平回動可能な可動式手すりを所定の位置に保持しても、ぐらつきが少なく、Ｕ字形状の握り部材であっても曲げ加工後の切断加工を必要とせず製造が容易な構造を有する可動手すりを提供することを目的とする。
【００１１】
【課題を解決するための手段】
本発明の請求項１では、壁面に固定するブラケットから突設される略Ｕ字形状の握り部材と、前記ブラケットに設置され前記握り部材を床面に対して水平回動可能にする固定軸と、床面に対して水平回動可能な前記握り部材を所定の位置に保持する係止部と、前記係止部を作動する操作部材を有する可動式手すりにおいて、前記係止部が前記ブラケットに設けられた複数の略テーパ形状の嵌合溝と前記嵌合溝と３以上の略テーパ形状の凸部で嵌合するストッパー部材からなることを特徴とする可動式手すりを提供する。
【００１２】
これにより、床面に対して水平回動可能な可動式手すりを所定の位置に保持しても、ぐらつきが少なく、使用者が安心して使用できる可動式手すりを提供することができる。
【００１３】
請求項２では、前記床面に対して水平回動可能な可動式手すりにおいて、略Ｕ字形状の前記握り部材の下方端面を前記回転軸の保持部に挿入したことを特徴とする可動式手すりを提供する。
【００１４】
これにより、握り部材の両端面の寸法を曲げ加工後に端面の所定寸法に合わせる為の切断加工の必要がなく、曲げ加工後の出来上がり寸法であっても、握り部材を床面と平行とすることができ、意匠性の良い可動式手すりの構造を提供することができる。
【００１５】
【発明の実施の形態】
以下に図面を参照して本発明をより具体的に説明する。
図１から図９は本発明の一実施形態に係る可動式手すりを示しており、図１は側面図、図２は平面図、図３は正面図、図４は図１側面図の一部省略断面を示している。
【００１６】
図に示すように、可動手すり１は、壁である取付面２に対して垂直に突出してブラケット３により保持される。ブラケット３は下支持部４と上支持部５からなり、この下支持部４と上支持部５の間に固定された固定軸６Ａを中心に握り部材７が回動自在な構造になっており、握り部材７が水平回動が可能である。いる。さらにこの回動を所定の位置に保持するための係止部であるストッパー部材８が上支持部５側に設けられている。
【００１７】
また、握り部材７には連結部材９Ａ、９Ｂとストッパー部材８を操作する操作部１０Ａ、１０Ｂを設けられいる。使用者はこの操作部材１０Ａ、１０Ｂを操作しストッパー部材８を動作させ、所定の位置に握り部材７を保持できる。
【００１８】
使用者が衛生陶器に着座している状態で立ち上がる動作をする際は、衛生陶器に近い可動式手すり１の中央近傍位置の操作部材１０Ａを使用でき、例えばその逆に車椅子使用者等が衛生陶器前方より近づき、移乗の為に可動式手すり１を回動しようしている場合には、可動式手すり１の先端近傍位置の操作部材１０Ｂを使用することができる。
したがって、可動式手すり１に２つの操作部材１０Ａ、１０Ｂを衛生陶器に近づく場合と離れる場合のそれぞれに応じて使用し易い位置に設けている。
また、介助者が使用する場合には、要介助者との位置関係で最も使用しやすい操作部材１０Ａ、１０Ｂを選択して使用すれば良い。
【００１９】
握り部材７は略Ｕ字形状で、上杆部１１にストッパー部材８の一部と連結部材９Ａ、９Ｂ及び操作部材１０Ａ、１０Ｂの一部が内蔵されている。操作部材１０Ａ、１０Ｂの操作レバー１４は各々握り部材７の開口部１２、１３から突出し、ストッパー部材８のストッパー１５は握り部材７の開口部１７から突出している。
【００２０】
なお、本実施例において、握り部材７の、操作部材１０Ｂの近傍及び略Ｕ字形状の曲り部分７Ａはステンレス鋼管を軟質塩化ビニール樹脂で被覆している樹脂被覆管を使用し、操作部材１０Ａ及び下杆部７Ｂはステンレス鋼管を使用しているが、握り部材７全体をステンレス鋼管のみ、又は、ステンレス鋼管以外の金属管を使用しても良く、樹脂被覆管のみとしても良い。また、被覆に使用する樹脂を軟質塩化ビニール樹脂ではなく、エラストマー等の樹脂材料を使用しても良い。また、握り部材７の断面形状は円形状であるが、楕円形状や四角形状、台形状としても良い。
【００２１】
次に所定の位置に握り部材７を保持できる係止部であるストッパー部材８の構造について説明する。
ストッパー部材８は、握り部材７を保持するためストッパー１５と嵌合溝１６を嵌合させる構造になっている。
図１及び図２に示すように、ブラケット３の上支持部５の下面にはストッパー１５が係止する嵌合溝１６が１５個所設けられている。図ではストッパー１５が中央部の嵌合溝１６に嵌合して、取付面２である壁に対して垂直に保持されている。操作レバー１４を取付面２と反対側にスライド操作することにより、ストッパー１５が嵌合溝１６から離れ嵌合が解除され、握り部材７が水平方向に回動可能となる。
そして握り部材７を回動し所定の位置で操作レバー１４を放すことにより、ストッパー１５を嵌合溝１６に嵌合させ所定の位置に握り部材７を保持することができる。
【００２２】
操作レバー１４は握り部材７の下方に突出しているが、操作部材１０Ａ、１０Ｂの各々の開口部１２、１３を握り部材７の軸に対して１８０度回転の位置に開口することにより上方に突出して設けることもでき、又、９０度、２７０度等回転の位置としても良い。
【００２３】
さらに詳しくストッパー部材８の構造を説明する。
図５にストッパー部材８の詳細を、図６にストッパー１５の詳細を、図７にブラケット３の上支持部５に設けている嵌合溝１６の詳細を、図８にストッパー１５と嵌合溝１６の嵌合の詳細を示す。
【００２４】
図４及び図５に示すように、ストッパー１５は第一ストッパー用可動部材３５の上面に溶接により固定され、第一ストッパー用可動部材３５は第二ストッパー用可動部材３６とナット３９によりねじ止めされている。
その第二ストッパー用可動部材３６は連結部材９Ａ内の第一連結部材２６を介して操作部材１０Ａの第一可動部材２２に接続されている。
更に、その第一可動部材２２は連結部材９Ｂ内の第二連結部材２４を介して操作部材１０Ｂの第二可動部材２３に接続されている。
この結果、操作部材１０Ａ、１０Ｂの操作レバー１４とストッパー部材８のストッパー１５は連動して可動できる構造としている。
【００２５】
図６及び図７にストッパー１５と嵌合溝１６の形状を示した。この例は１５度刻みで、握り部材７を水平回動させ固定できるストッパー構造を示している。
【００２６】
ストッパー１５には凸部４１Ａ、４１Ｂ、４１Ｃを設け、ブラケット３の嵌合溝１６のテーパに合せてテーパ角度を設けている。具体的にはストッパー１５の中央凸部４１Ａの両側は各々５度のテーパを設け、凸部４１Ａの両側に勘合する嵌合溝１６にも同様のテーパを設ける。
【００２７】
ここでテーパ角度は、ストッパーの凸部が嵌合溝にスムーズに挿入できしかも嵌合後もガタツキが少ないものであり、１度から１０度の範囲であれば良い。この例では、５度とした場合を示している。
【００２８】
また、凸部４１Ａの両側の凸部４１Ｂ、４１Ｃの外側のテーパ角度は、凸部４１Ｂ、４１Ｃに嵌合する嵌合溝１６と同様に各々２０度のテーパを設け、嵌合部分の隙間の発生を防止している。
【００２９】
このテーパ角度の２０度は、１５度刻みで握り部材を水平回動させ固定できるようにしたのと中央凸部４１Ａの両側のテーパ角度を５度したためである。
【００３０】
また、凸部４１Ｂ、４１Ｃの中央凸部４１Ａ側には１度のテーパ角度を設け、凸部４１Ｂ、４１Ｃの中央凸部４１Ａ側が嵌合溝１６と嵌合する際、嵌合をスムーズに行うことができる構造としている。
【００３１】
この構造でのテーパの角度は１度から１０度の範囲であれば、スムーズに嵌合でき、さらにぐらつきを少なくすることができる。
従って、この例では、１５度刻みで握り部材を水平回動保持できる構造を示しているため、凸部４１Ａの両側のテーパ角度は１度から１０度の範囲とし、凸部４１Ｂ、４１Ｃの外側は１５度に１度から１０度を加算した１６度から２５度の範囲とし、凸部４１Ｂ、４１Ｃの内側は１度から５度の範囲としても良い。
【００３２】
さらに、嵌合をスムーズにするためとぐらつきを少なくするためのテーパ角度を設けた上、ストッパー１５には３つの凸部４１Ａ、４１Ｂ、４１Ｃを設けている。
【００３３】
これは、凸部４１Ａ、４１Ｂ、４１Ｃにテーパ角度をつけることに加えて、ストッパーの凸部が３つの嵌合溝１６で嵌合することとすると、１つの凸部４１Ａと１つの嵌合溝１６で嵌合した場合に比べ、ストッパー１５と嵌合溝１６の形状に成形する製造上のばらつきによる嵌合部分の隙間の発生を防止することでき、その結果、可動式手すりの握り部材７の先端のぐらつきを低減することができる。
この例ではストッパー１５の凸部が３つの場合を示したが、嵌合するストッパー１５の凸部を４つ以上としても良い。
【００３４】
連結部材９Ａの第一連結部材２６の第二ストッパー用可動部材３６との接続端面にねじ４２を設けることにより、第一連結部材２６と握り部材７の長さの加工誤差をねじ４２のねじ込み代により吸収でき、更に、ナット４３によりねじ固定することにより、緩みを防止することができる。
【００３５】
第二ストッパー用可動部材３６はストッパー収納ケース３７内に収納され、ストッパー収納ケース３７はボルト３８により握り部材７に固定されている。第二ストッパー用可動部材３６とストッパー収納ケース３７の間には樹脂製の可動部材収納ケース３２を設けている為、可動を滑らかにすることにより操作力が低減でき、慴動音も低減することができる。ストッパー収納ケース３７と可動部材収納ケース３２の下面には開口部４４が設けられているため、清掃時に水が進入しても握り部材７内部に水が侵入することを防止できる。
また、ブラケット３の上支持部５の下面に形成されている嵌合溝１６が、ブラケット３の上面より見えない様にカバー４５を上支持部５に溶接し、意匠性を向上させる構造としている。
【００３６】
図９に握り部材７の下方端面と回転軸６の接続詳細を示す。
回転軸６には握り部材７の下方端面を挿入する凸部材４６と保持部材である継手４７が溶接により固定され、握り部材７の加工誤差による隙間４８を覆う為のカバー４９がビス５０により凸部材４６と継手４７に固定されている。
これにより、握り部材７の加工誤差による隙間４８を覆うことができ、握り部材７の両端面の寸法を曲げ加工後に所定寸法に合せる為の切断加工の必要がなく、握り部材を床面と平行にすることができ、意匠性の良い可動式手すりとすることができる。
【００３７】
一般的に手すりとして使用するのは握り部材７の上杆部１１である為、荷重は主に上支持部５が受けることになる。
上杆部１１の端面は図５に示すボルト５１により回転軸６に固定されている。このため、使用者が可動式手すり１に荷重を加えても、回転軸６、ブラケット３の上支持部５を介して取付面２に荷重が伝えられる為、握り部材７の下方端面は回転軸６に挿入するのみとし、固定しないでも可動式手すりとして使用することが可能である。
【００３８】
上記の構成により、握り部材７を回動させる為には、操作部材１０Ａ又は１０Ｂの操作レバー１４を弾性部材１８の押圧力に抗して取付面２とは逆に移動させる。操作レバー１４を取付面２とは逆に移動させると、第一連結部材２６及び第二連結部材２４を介して、ストッパー部材８のストッパー１５が取付面２とは逆に移動し、上支持部５の嵌合溝１６からストッパー１５が外れる。
【００３９】
嵌合溝１６とストッパー１５の嵌合が解除されると握り部材７は水平面内で回動自在となる。嵌合溝１６の任意の位置で操作レバー１４を放すと、弾性部材１８の弾性力により操作部材１０Ａ、１０Ｂが取付面２側に移動し、第一連結部材２６及び第二連結部材２４を介して、ストッパー部材８のストッパー１５が取付面２側に移動し、上支持部５の嵌合溝１６へ嵌合する。ストッパー１５が嵌合溝１６へ嵌合すると握り部材７を固定することができる。
【００４０】
【発明の効果】
本発明は上記構成により次の効果を発揮する。
請求項１は、壁面に固定するブラケットから突設される略Ｕ字形状の握り部材と、前記ブラケットに設置され前記握り部材を床面に対して水平回動可能にする固定軸と、床面に対して水平回動可能な前記握り部材を所定の位置に保持する係止部と、前記係止部を作動する操作部材を有する可動式手すりにおいて、前記係止部が前記ブラケットに設けられた複数の略テーパ形状の嵌合溝と前記嵌合溝と３以上の略テーパ形状の凸部で嵌合するストッパー部材からなることを特徴とする可動式手すりとした。
これにより、嵌合溝とストッパー部材の間の隙間が発生しない構造とすることができ、可動式手すりのぐらつきが少なく、使用者が安心して使用できる可動式手すりの構造を提供できる。
【００４１】
請求項２は、前記床面に対して水平回動可能な可動式手すりにおいて、略Ｕ字形状の前記握り部材の下方端面を前記回転軸の保持部材に挿入したことを特徴とする可動式手すりとした。
これにより、曲げ加工後の出来上がり寸法であっても、前記握り部材を床面と平行にすることができ、意匠性の良い可動式手すりの構造を提供できる。
【図面の簡単な説明】
【図１】本件発明の一実施の形態である可動式手すりの側面図を示す。
【図２】本件発明の一実施の形態である可動式手すりの平面図を示す。
【図３】本件発明の一実施の形態である可動式手すりの正面図を示す。
【図４】本件発明の一実施の形態である可動式手すりの一部省略断面側面図を示す。
【図５】本件発明の一実施の形態である可動式手すりのストッパー部材８の断面側面図を示す。
【図６】本件発明の一実施の形態である可動式手すりのストッパー１５の平面図を示す。
【図７】本件発明の一実施の形態である可動式手すりのブラケット３の上支持部５に設けている嵌合溝１６の平面詳細図を示す。
【図８】本件発明の一実施の形態である可動式手すりのストッパー１５と嵌合溝１６の嵌合状況の詳細図を示す。
【図９】本件発明の一実施の形態である可動式手すりの握り部材７の下方端面と回転軸６の断面側面図を示す。
【図１０】一般的なトイレブースの斜視図を示す。
【図１１】従来品の側面図を示す。
【符号の説明】
１  可動式手すり
２  取付面
３  ブラケット
４  下支持部
５  上支持部
６  回転軸
６Ａ  固定軸
７  握り部材
７Ａ  曲がり部
７Ｂ  下杆部
８  ストッパー部材
９Ａ  連結部材
９Ｂ  連結部材
１０Ａ  操作部材
１０Ｂ  操作部材
１１  上杆部
１２  開口部
１３  開口部
１４  操作レバー
１５  ストッパー
１６  嵌合溝
１７  開口部
１８  弾性部材
２２  第一可動部材
２３  第二可動部材
２４  第二連結部材
２６  第一連結部材
２９  ボルト
３２  可動部材収納ケース
３５  第一ストッパー用可動部材
３６  第二ストッパー用可動部材
３７  ストッパー収納ケース
３８  ボルト
３９  ナット
４０  収納ケース
４１Ａ  凸部
４１Ｂ  凸部
４１Ｃ  凸部
４２  ねじ
４３  ナット
４４  開口部
４５  カバー
４６  凸部材
４７  継手
４８  隙間
４９  カバー
５０  ビス
５１  ボルト
【図１】
2004353363.tif 000003
【図２】
2004353363.tif 000004
【図３】
2004353363.tif 000005
【図４】
2004353363.tif 000006
【図５】
2004353363.tif 000007
【図６】
2004353363.tif 000008
【図７】
2004353363.tif 000009
【図８】
2004353363.tif 000010
【図９】
2004353363.tif 000011
【図１０】
2004353363.tif 000012
【図１１】
2004353363.tif 000013